(57)【要約】【課題】デジタルカメラからメモリーカードを取り出すことなく、画像ファイリング装置へ画像データを転送する。【解決手段】画像ファイリング装置１０とデジタルカメラ４８とには、それぞれＵＳＢインタフェース５７，６７が設けられている。ＵＳＢインタフェース５７は、ホストコントローラ５８とコネクタ４２とからなり、他方、ＵＳＢインタフェース６７は、ターゲットコントローラ６７と、コネクタ６８とからなる。画像ファイリング装置１０とデジタルカメラ４８をケーブル４９で接続すると、前記装置１０がＵＳＢホストとして機能し、前記カメラ４８がＵＳＢターゲットとして機能する。これにより、デジタルカメラ４８にメモリーカード１７をセットした状態で、メモリーカード１７内の画像ファイルを、デジタルカメラ４８から画像ファイリング装置１０へダイレクトに転送することができる。【選択図】        図６
2004166057.tif 000002
【特許請求の範囲】
【請求項１】
デジタルカメラで撮影された画像データを記憶するメモリーカードから前記画像データを取り込み、そのデータを保存用記憶メディアへ記録する画像ファイリング装置において、
前記デジタルカメラと前記装置本体とをデータ通信可能に接続する通信インタフェースを設け、この通信インタフェースを介して、前記デジタルカメラに前記メモリーカードを装填した状態で、前記メモリーカード内の画像データを前記装置本体へダイレクトに転送できるようにしたことを特徴とする画像ファイリング装置。
【請求項２】
撮影画像をメモリーカードへ記録するデジタルカメラと、前記メモリーカードから画像データを取り込み、前記メモリーカードとは異なる保存用記憶メディアへ記録する画像ファイリング装置とからなる画像ファイリングシステムにおいて、
前記デジタルカメラと前記画像ファイリング装置の双方に、前記デジタルカメラ内のメモリーカードから前記画像ファイリング装置へダイレクトに前記画像ファイルの転送を可能に接続する通信インタフェースを設けたことを特徴とする画像ファイリングシステム。
【発明の詳細な説明】
【０００１】
【発明の属する技術分野】
本発明は、デジタルカメラの撮影時にメモリーカードへ記憶された画像データを、保存用記録メディアに記録する画像ファイリング装置に関するものである。
【０００２】
【従来の技術】
撮影した画像をデジタルデータとしてメモリーカードへ記録するデジタルカメラが知られている。メモリーカードは、データ書き込み速度が速いので撮影時のデータ記録用に用いられるが、単位記憶容量当たりの単価が高いので、それに記録した画像データを保存する場合には、前記メモリーカードと比較して、単位記憶容量当たりの単価が安い保存用記録メディアが利用される。保存用記録メディアとしては、例えば、ＺＩＰ（登録商標）などの大容量フレキシブルディスク，ＣＤ（Ｃｏｍｐａｃｔ  Ｄｉｓｋ）メディア，ＤＶＤ（Ｄｉｇｉｔａｌ  Ｖｅｒｓａｔｉｌｅ  Ｄｉｓｋ）メディアなど、各種のリムーバブルメディアが利用される他、ハードディスクドライブなどのデータストレージが利用される。
【０００３】
パーソナルコンピュータ（以下、ＰＣという）には、例えば、ハードディスクドライブや、ＣＤメディアにアクセスしてデータの書き込みを行うＣＤ−Ｒドライブが内蔵されているので、このＰＣとデジタルカメラ本体とを通信インタフェースを介して接続することにより、前記メモリーカード内の画像データを保存用記録メディアにコピーすることができる。
【０００４】
しかし、ＰＣに不慣れなカメラユーザーも多く、そのようなユーザーにとってはＰＣの操作は煩雑極まりないものであるため、ＰＣを使用することなく保存用記録メディアへ画像データをコピーしたいという要望も多い。こうした要望に応えて、本出願人は、画像ファイリング装置（例えば、特許文献１参照）を製造及び販売している。この画像ファイリング装置は、メモリーカード内の画像データを読み取るカードリーダと、読み取った画像データを保存用記録メディアへ書き込むメディアドライブとを備えている。画像ファイリング装置本体には、メモリーカードスロットが設けられており、このスロットにデジタルカメラ本体から取り出したメモリーカードがセットされる。コピーボタンを押すと、メモリーカードから画像データが読み出され、前記メディアドライブにセットされた保存用記録メディアへ画像データが書き込まれる。
【０００５】
また、この画像ファイリング装置には、通信ケーブルを介してＰＣとデータ通信可能に接続するための通信用コネクタが設けられている。この通信用コネクタを使用することで、画像ファイリング装置内のメディアドライブを、ＰＣの周辺機器として利用することができる。
【０００６】
【特許文献１】
特開２００２−１７０３２１号公報
【０００７】
【発明が解決しようとする課題】
しかしながら、上記画像ファイリング装置を使用して画像データのコピーをする場合には、デジタルカメラ本体からいったんメモリーカードを取り出して画像ファイリング装置本体にセットしなければならない。そして、画像データのコピーが終了した後には、メモリーカードを再びデジタルカメラへ戻す必要があった。調査によれば、メモリーカードの着脱作業がめんどうであるという声も多く、改善が望まれていた。
【０００８】
本発明は、デジタルカメラからメモリーカードを取り出すことなく、画像ファイリング装置へ画像データを転送できるようにすることを目的とする。
【０００９】
【課題を解決するための手段】
前記目的を達成するために、本発明の画像ファイリング装置は、デジタルカメラで撮影された画像データを記憶するメモリーカードから前記画像データを取り込み、そのデータを保存用記憶メディアへ記録する画像ファイリング装置において、前記デジタルカメラと前記装置本体とをデータ通信可能に接続する通信インタフェースを設け、この通信インタフェースを介して、前記デジタルカメラに前記メモリーカードを装填した状態で、前記メモリーカード内の画像データを前記装置本体へ転送できるようにしたことを特徴とする。
【００１０】
本発明の画像ファイリングシステムは、撮影画像をメモリーカードへ記録するデジタルカメラと、前記メモリーカードから画像データを取り込み、前記メモリーカードとは異なる保存用記憶メディアへ記録する画像ファイリング装置とからなる画像ファイリングシステムにおいて、前記デジタルカメラと前記画像ファイリング装置の双方に、前記デジタルカメラ内のメモリーカードから前記画像ファイリング装置へダイレクトに前記画像ファイルの転送を可能に接続する通信インタフェースを設けたことを特徴とする。
【００１１】
【発明の実施の形態】
図１に示す画像ファイリング装置１０は、装置本体１１に、第１及び第２の各メモリーカード１７，１８から画像ファイルを読み取る第１及び第２の各カードリーダ（図６の符号５２，５３参照）と、ＣＤ−Ｒメディア１９へアクセスして画像ファイルの読み取りや書き込みを行うＣＤ−Ｒドライブ（図６の符号５４参照）とが内蔵されている。装置本体１１の前面の端には、第１及び第２の各メモリーカード１７，１８がセットされる各スロット２３，２４が設けられている。
【００１２】
第１のメモリーカード１７は、スマートメディア（登録商標）であり、このメモリーカード１７は、専用のスロットである第１のスロット２３にセットされる。第２のスロット２４は、ＰＣカードタイプのメモリーカード１８がセットされるスロットである。このスロット２４には、ＰＣカードタイプのアダプタを使用することにより、メモリーカード１８よりも小型の各種のメモリーカード，例えば，コンパクトフラッシュ（登録商標），ＳＤカード（登録商標），メモリスティック（登録商標），マイクロドライブ（登録商標）などをセットすることができる。メモリーカードの記憶容量には各種のものがあるが、現在は約１６ＭＢ〜約１２８ＭＢ程度の記憶容量が標準的である。
【００１３】
第１及び第２のカードリーダ５２，５３は選択的に使用され、これらの切り替えはスライドスイッチ２６によって行われる。第１及び第２のスロット２３，２４の奥の入り口付近には、図示しない遮蔽板がスライド自在に設けられており、この遮蔽板がスライドスイッチ２６に連動して第１及び第２のスロット２３，２４を選択的に塞ぐ。これにより、２つのスロットが同時に使用されることを禁止している。
【００１４】
装置本体１１の前面中央には、ＣＤ−Ｒメディア１９をセットするためのトレイ２８が設けられている。トレイ２８は、前方へ引き出される引き出し位置と、装置本体１１内に収納される収納位置との間で移動自在に取り付けられている。
【００１５】
ＣＤ−Ｒメディア１９は、約６５０ＭＢ〜７００ＭＢの記憶容量を持ち、各種のメモリーカードに比べて記憶容量が大きく、また、単位記憶容量当たりの単価も安いため、メモリーカードに記録された画像ファイルをファイリングして保存しておくための保存用記録メディアとして使用される。各メモリーカード１７，１８内の画像ファイルは、前記各カードリーダ５２，５３によって読み出され、ＣＤ−Ｒドライブ１９によって、読み出された画像ファイルがＣＤ−Ｒメディア１９に記録される。
【００１６】
また、装置本体１１には、プリンタユニット（図６の符号５６参照）が設けられており、各メモリーカード１７，１８やＣＤ−Ｒメディア１９に記録された画像をプリントできるようになっている。開口１６には、例えば、Ｌサイズの記録紙が複数枚収納された給紙カセット（図示せず）が着脱自在にセットされる。この給紙カセットからプリンタユニットへ記録紙が引き出され、画像がプリントされる。プリント済みの記録紙は、開口２９から排紙される。蓋３１は、画像ファイリング装置１０を使用していないときに、開口２９を覆う。
【００１７】
トレイ２８および開口２９の右横には、ＬＣＤ３２が設けられている。ＬＣＤ３２は、操作画面や、各メモリーカード１７，１８又はＣＤ−Ｒメディア１９内の画像ファイルや、それらを再生した画像を表示する。ＬＣＤ３２の周辺には、操作部３３が設けられている。
【００１８】
操作部３３は、操作画面内のカーソルの移動や、コマの選択など汎用的に使用される十字キー，選択したメニューや画像を確定する確定ボタン，確定したメニューを実行する実行ボタン，直前の操作をキャンセルするためのキャンセルボタンなどからなる。操作画面とこれら各種操作ボタンとにより、各種の指示がなされる。これら十字キーや実行ボタンを操作することで、各メモリーカード１７，１８内の所望の画像ファイルを選択し、選択した画像ファイルをＣＤ−Ｒメディア１９にコピーしたり、また、各メモリーカード１７，１８又はＣＤ−Ｒメディア１９内の所望の画像をプリントしたりすることができる。
【００１９】
また、操作部３３には、これら汎用的に使用される各操作ボタンの他、使用頻度の高い機能を指示するための専用ボタンが設けられている。保存ボタン３７は、第１又は第２のメモリーカード１７，１８内のすべての画像ファイルを読み取って、これら画像ファイルをＣＤ−Ｒメディア１９にファイリングする指示をするための専用ボタンである。
【００２０】
保存ボタン３７を押下すると、第１又は第２の各メモリーカード１７，１８内のすべての画像ファイルの読み取り処理，読み取られたすべての画像ファイルを１つのアルバムデータとしてまとめて格納するためのフォルダをＣＤ−Ｒメディア１９内に作成する処理  作成されたフォルダ内に、すべての画像ファイルを書き込む処理からなる一連の処理が自動的に実行される。
【００２１】
図２に示すように、装置本体１１の背面には、ビデオ出力端子４１，ＵＳＢコネクタ４２，電源用端子４３が設けられている。ビデオ出力端子４１は、画像や操作画面をモニタ４６に再生表示するためにモニタ４６に画像信号（コンポジット信号）を出力する。電源用端子３９は、ＡＣアダプタを接続するためのもので、この電源用端子３９を介して商用電源から給電される。また、画像ファイル装置１０は、着脱自在に装填されるバッテリー（図示せず）によって駆動することもできる。
【００２２】
ＵＳＢコネクタ４２は、後述するＵＳＢホストコントローラ（図６の符号５８参照）とともに、ＵＳＢホスト機能を備えたＵＳＢインタフェースを構成する。ＵＳＢインタフェースは、デジタルカメラ４８の本体と装置本体１１とをデータ通信可能に接続する通信インタフェースである。デジタルカメラ４８は、画像ファイリング装置１０とともに画像ファイリングシステムを構成する。
【００２３】
通信インタフェースには、接続される２つの機器が対等な関係で通信制御を行うピア・ツー・ピア（Ｐｅｅｒ  ｔｏ  Ｐｅｅｒ）型と、接続される２つの機器の一方が通信制御の主導権を持ち、他方がそれに従属して通信を行うマスター・スレーブ型とがある。マスター・スレーブ型では、通信制御の負荷の多くをマスター側が負担するので、スレーブ側にかかる通信制御の負荷が軽減される。このため、マスター・スレーブ型では、スレーブ側の通信インタフェースの構成を簡単化することができる。ＵＳＢインタフェースは、後者であり、マスターとなる機器がＵＳＢホスト、スレーブとなる機器がＵＳＢターゲットと呼ばれる。
【００２４】
ＵＳＢインタフェースは、上述したとおり、ＰＣと周辺機器とを接続する標準的な通信インタフェースとして使用されており、通常、ＰＣがＵＳＢホストとなり、周辺機器がＵＳＢターゲットとなる。ＵＳＢインタフェースは、電源を投入した状態で機器同士を接続することができるホットプラブイン機能や、ＵＳＢホストにＵＳＢターゲットが接続されると自動的にこれを認識して、ＵＳＢターゲットを動作可能状態にするプラグアンドプレイ機能を備えている。さらに、ＵＳＢインタフェースは、ＵＳＢデータバスを介して、ＵＳＢターゲットに対して電源供給を行うＵＳＢバス電源機能を備えている。ＵＳＢデータバスには、データ通信線の他に、電源供給線が設けられており、この電源供給線を利用して、５Ｖ程度の電源が供給される。
【００２５】
デジタルカメラや、従来の画像ファイリング装置には、ＵＳＢインタフェースが設けられていたものの、それは、ＵＳＢホスト機能を持っておらず、専らＰＣの周辺機器（ＵＳＢターゲット）としてしか動作しなかった。ＵＳＢターゲット機器同士は、ＵＳＢホスト機器を介することなく接続することはできない。そのため、デジタルカメラと従来の画像ファイリング装置とを接続して、デジタルカメラから画像ファイリング装置へダイレクトにデータ転送をすることができなかった。
【００２６】
本発明の画像ファイリング装置１０は、ＵＳＢホスト機能を備えたＵＳＢインタフェースを備えたから、ＵＳＢターゲット機器としてしか動作しないデジタルカメラ４８と、ＵＳＢケーブル４９を介して接続することができる。このため、デジタルカメラ４８の本体にメモリーカード１７を装填したまま、前記メモリーカード１７内の画像ファイルを画像ファイリング装置１０へダイレクトに転送することができる。
【００２７】
また、デジタルカメラ４８をバッテリで駆動している際に、バッテリ切れが生じた場合には、駆動電源が前記ＵＳＢバス電源に自動的に切り替えられるようにしている。そのため、画像ファイルを転送している間にバッテリが切れてしまったとしても、画像ファイリング装置１０からのＵＳＢバス電源の供給によりデジタルカメラ４８を駆動できるので、データ転送を継続することができる。
【００２８】
図３は、画像ファイリング装置１０とデジタルカメラ４８との間でＵＳＢデータバスを確立する際のシーケンスを示す。ＵＳＢケーブル４９を介して、デジタルカメラ４８と画像ファイリング装置１０とを物理的に接続すると、画像ファイリング装置１０は、ＵＳＢバスの信号線の電圧が上昇したことを検出して、ＵＳＢコネクタ４２にＵＳＢターゲット機器が接続されたことを検知する。
【００２９】
ＵＳＢターゲット機器の接続を検知すると、画像ファイリング装置１０は、デジタルカメラ４８に対して、問い合わせコマンドを送って、機器情報を問い合わせる。この機器情報には、ドライブの仕様情報や、ＵＳＢインタフェースの仕様情報などが含まれる。ドライブの仕様情報としては、例えば、ドライブの種類（メモリーカードにアクセスするドライブユニットであること）などが含まれ、他方、ＵＳＢインタフェースの仕様情報としては、データの転送速度などが含まれる。デジタルカメラ４８は、画像ファイリング装置１０からの問い合わせに応じて、デジタルカメラ４８の機器情報を送信する。このようなネゴシエーションが完了すると、データバスが確立されて、データ転送が可能な状態となる。
【００３０】
デジタルカメラ４８は、ＵＳＢホスト機器と接続されると、データ転送モードに自動的に移行する。このモードにおいては、デジタルカメラ４８は、メモリーカード１７にアクセスしてデータの読み取りと書き込みとを行うメディアドライブとして動作する。
【００３１】
ＵＳＢコネクタ４２にデジタルカメラ４８が接続された場合には、デジタルカメラ４８が、第１及び第２のカードリーダ５２，５３よりも優先されて、画像ファイル読み取り用のドライブとして選択される。
【００３２】
図４は、デジタルカメラで撮影された画像データの保存形式を示す説明図である。メモリーカード１７内には撮影画像フォルダが作成され、この撮影画像フォルダ内に、撮影された画像データがＥＸＩＦフォーマットの画像ファイルとして格納される。
【００３３】
ＥＸＩＦフォーマットは、画像データに加えて、ＥＸＩＦＴＡＧデータが付加されたものである。ＥＸＩＦＴＡＧデータには、露出値，焦点距離，ストロボ発光の有無など撮影条件に関する撮影条件データと、ＭａｋｅｒＮｏｔｅＴＡＧデータとが含まれる。ＭａｋｅｒＮｏｔｅＴＡＧとは、各カメラメーカーが自由にメーカー固有の情報を設定できるエリアであり、このエリアには、例えば、撮影に使用したカメラの機種情報などが記録される。撮影日付等のデータもこのＥＸＩＦＴＡＧデータとして記録される。
【００３４】
画像データは、例えば、ＪＰＥＧ形式で圧縮される。さらに、ＥＸＩＦフォーマットには、サムネイル画像データを含めることもできる。このサムネイル画像は、モニタ表示用に使用したりインデックス画像を作成する際に使用される。画像フォルダ名や、画像ファイルのファイル名は、ＤＣＦ（Ｄｅｓｉｇｎｅ  ｒｕｌｅ  ｆｏｒ  Ｃａｍｅｒａ  Ｆｏｒｍａｔ）  規格で規定されており、データ圧縮形式としてＪＰＥＧを使用した場合には、ＤＳＣＦ０００１〜ｎ．ＪＰＧとなる。
【００３５】
また、画像ファイリング装置１０では、ＣＤ−Ｒメディア１９へのデータ書き込み方式としてマルチセション方式を採用している。ＣＤ−Ｒメディア１９への書き込みは、１回のデータ書き込みを１セションとして行われる。マルチセション方式とは、１回データの書き込みを行ったＣＤ−Ｒメディア１９に空き領域がある限り、その空き領域への追記が可能な書き込み方式をいう。これにより、例えば、複数回に分けて撮影した画像ファイルや、複数枚のメモリーカードの画像ファイルを１枚のＣＤ−Ｒメディア１９にまとめて保存することができる。
【００３６】
図５は、画像ファイリング装置１０を使用してＣＤ−Ｒメディア１９に画像ファイルを書き込む際のデータ格納構造の例を示す。ＣＤ−Ｒメディア１９内には、フォルダが作成され、そのフォルダ内に画像ファイルが格納される。フォルダは、Ｆ１〜Ｆ３というように複数設けることができる。例えば、保存ボタン３７により、データのコピーを行う場合には、その都度新しいフォルダが自動的に作成され、作成されたフォルダ内にコピーされる画像ファイルが格納される。新規に作成されるフォルダには、ユーザーが任意に名前を付与することもできるし、自動的にフォルダ名を付与することもできる。これらは設定に応じて随時変更が可能である。
【００３７】
また、画像ファイルを指定して、コピーを行う場合には、新規にフォルダを作成して、そこに画像ファイルを格納することもできるし、既に作成されたフォルダを指定して、そのフォルダ内に、画像ファイルを追加することもできる。
【００３８】
また、作成したフォルダにアクセス制限を設定することもできる。例えば、デジタルカメラ４８を複数台持っているユーザーの場合には、各カメラ毎に画像ファイルを格納するフォルダを分けるという使い方をすることが考えられる。そのような場合には、ＣＤ−Ｒメディア１９に、カメラの識別情報を、アクセス制限をしたいフォルダと関連づけて記憶させておき、他のカメラから転送された画像ファイルを当該フォルダに格納できないようにすることができる。こうすれば、ユーザーが誤って意図したフォルダとは異なるフォルダに画像ファイルが格納されてしまうことを防止することができる。
【００３９】
カメラの識別情報としては、例えば、ＵＳＢデータバスを確立する際にデジタルカメラ４８から送信される機器情報が利用される。フォルダのアクセス制限の設定手順は、まず、デジタルカメラ４８から画像ファイルを転送する際に、画像ファイリング装置１０が前記機器情報をメモリに一時的に記憶させる。そして、新規作成又は選択されたフォルダに画像ファイルを格納した後、当該フォルダのアクセス制限をするか否かを問い合わせる問い合わせ画面を表示パネル３２に表示し、ユーザーに選択させる。アクセス制限をする旨の指示を受けた場合には、メモリに記憶した機器情報を、当該フォルダと関連づけてＣＤ−Ｒメディア１９に書き込む。
【００４０】
もちろん、アクセス制限を実現するための情報としては、前記機器情報の代わりに、ユーザーが任意に入力した識別情報を利用してもよい。この場合には、まず、デジタルカメラ４８と画像ファイリング装置１０の双方に、ユーザーが任意に入力する識別情報を記憶させておく。識別情報の記憶手段としては、例えば、ＥＥＰＲＯＭなどの不揮発性メモリが使用される。そして、画像ファイル転送時に、前記識別情報を、前記デジタルカメラ４８から画像ファイリング装置１０へ転送する。そして、転送された識別情報と画像ファイリング装置１０に記憶された識別情報とを照合し、両者が一致した場合には、アクセスを許可し、不一致の場合には、アクセスを拒否するというように、アクセス制限を行う。
【００４１】
図６は、画像ファイリング装置１０及びデジタルカメラ４８の電気構成の概略を示すブロック図である。画像ファイリング装置１０のメインコントローラ５１は、ＣＰＵ５１ａやメモリ５１ｂからなり、画像ファイリング装置１０の各部を統括的に制御する。メモリ５１ｂは、ＣＰＵ５１ａがプログラムを実行する際の作業用メモリとして使用される他、前記カメラの識別情報を一時的に記憶するメモリとしても使用される。
【００４２】
メインコントローラ５１には、第１及び第２のカードリーダ５２，５３、ＣＤ−Ｒドライブ５４、プリンタユニット５６、表示パネル３２、操作部３３、ビデオ出力端子４１、電源用端子４３、ＵＳＢインタフェース５７が接続されている。ＵＳＢインタフェース５７は、ＵＳＢコネクタ４２と、ＵＳＢホストコントローラ５８とからなる。
【００４３】
デジタルカメラ４８は、メインコントローラ６１，撮像部６２，画像処理部６３，操作部６４，メディアコントローラ６６，ＵＳＢインタフェース６７からなる。撮像部６２は、撮影光学系，ＣＣＤイメージセンサ，Ａ／Ｄコンバータなどからなり、被写体を撮像し得られた画像をデジタルデータに変換して出力する。画像処理部６３は、デジタル化された画像データに対して各種の画像処理を施す。メディアコントローラ６６は、メモリーカード１７へアクセスして画像データの書き込みと読み取りとを行う。メインコントローラ６１は、操作部６４からの操作信号に応じて、デジタルカメラ４８の各部を制御する。
【００４４】
ＵＳＢインタフェース６７は、ＵＳＢコネクタ６８とＵＳＢターゲットコントローラ６９とからなる。画像ファイリング装置１０のＵＳＢホストコントローラ５８と、デジタルカメラ４８のＵＳＢターゲットコントローラ６９は、上述したデータバス確立シーケンスに従ってデータバスを確立し、データ通信を制御する。
【００４５】
以下、上記構成による作用について説明する。デジタルカメラ４８で撮影した画像をＣＤ−Ｒメディア１９に保存する場合には、ＣＤ−Ｒメディア１９とメモリーカード１７を画像ファイリング装置１０にセットする。メモリーカード１７内のすべての画像ファイルを保存する場合には、保存ボタン３７を押下する。すると、メモリーカード１７から画像ファイルの読み取りが開始される。そして、ＣＤ−Ｒメディア１９に新規にフォルダが作成され、作成されたフォルダ内に読み取った画像ファイルが格納される。
【００４６】
また、デジタルカメラ４８からメモリーカード１７を取り出すことがめんどうな場合には、デジタルカメラ４８と画像ファイリング装置１０とをＵＳＢケーブル４９で接続する。画像ファイリング装置１０にデジタルカメラ４８がＵＳＢケーブル４９を介して物理的に接続されると、画像ファイリング装置１０は、ＵＳＢバスの信号線の電圧変化によりデジタルカメラ４８が接続されたことを自動的に検知する。そして、デジタルカメラ４８に対して、機器情報の問い合わせを行い、デジタルカメラ４８からの返答を受けてデータバスが確立される。また、画像ファイリング装置１０は、デジタルカメラ４８との接続を検知した場合には、デジタルカメラ４８を読み取りドライブとして選択する。
【００４７】
この状態で、保存ボタン３７を押すと、デジタルカメラ４８内のメモリーカード１７から画像ファイリング装置１０へ画像ファイルの転送が開始され、上述した手順でＣＤ−Ｒメディア１９に画像ファイルがコピーされる。また、表示パネル３２にメモリーカード１７内の画像ファイルを表示させ、十字キーにより、所望の画像ファイルを選択し、選択した画像ファイルをコピーすることもできる。この場合には、新規にフォルダを作成して、そのフォルダ内に画像ファイルを格納してもよいし、既存のフォルダを選択して、選択されたフォルダに画像ファイルを格納してもよい。
【００４８】
上記実施形態では、画像ファイリング装置にＵＳＢホスト機能を設けた例で説明しているが、デジタルカメラにホスト機能を設けてもよい。また、上記実施形態では、ＵＳＢインタフェースを使用しているが、通信インタフェースとしては、ＵＳＢインタフェースの他に、例えば、ＩＥＥＥ１３９４インタフェースを使用してもよい。このＩＥＥＥ１３９４インタフェースもＰＣとその周辺機器の標準的な通信インタフェースの１つとして使用されており、ＵＳＢインタフェースと同様に、ホットプラグイン機能やプラグアンドプレイ機能を備えている。
【００４９】
また、ケーブルを使用して有線通信を行う他、ワイヤレスで通信を行うようにしてもよい。この場合には、図７に示すように、画像ファイリング装置７１と、デジタルカメラ７２の双方に、無線インタフェース７６，７７を設ける。各無線インタフェース７６，７７は、電波を送受信するアンテナ部７６ａ，７７ａと、コントローラ７６ｂ，７７ｂとからなる。無線を使用する場合には、画像ファイリング装置７１及びデジタルカメラ７２とが通信エリア７８にあることが必要である。この通信エリア７８は、電波の到達範囲によって規定される。無線インタフェースとしては、例えば、ＩＥＥＥ８０２．０１規格やＢｌｕｅｔｏｏｔｈ規格などのインタフェースがある。
【００５０】
無線インタフェースとして、ＵＳＢインタフェースと同様にマスター・スレーブ型のインタフェースを使用した場合には、画像ファイリング装置又はデジタルカメラのいずれかの無線インタフェースにホスト機能を持たせる必要がある。
【００５１】
また、無線通信を行う場合には、図８に示すように、デジタルカメラ７２からの電波を画像ファイリング装置７１が受信した場合に、画像ファイリング装置７１の電源が入っていない場合には、自動的にオンして、データバス（無線伝送路）の確立がなされるようにするとよい。
【００５２】
【発明の効果】
以上詳細に説明したように、本発明は、デジタルカメラから画像ファイリング装置へダイレクトにデータ転送可能に接続する通信インタフェースを設けたから、デジタルカメラからメモリーカードを取り出すことなく画像データの取り込みを行うことができる。
【図面の簡単な説明】
【図１】画像ファイリング装置の外観図である。
【図２】画像ファイリング装置の背面図である。
【図３】データバス確立シーケンスを説明するチャートである。
【図４】画像ファイルのデータ構造を示す説明図である。
【図５】ＣＤ−Ｒメディアへの画像ファイルの保存形式を示す説明図である。
【図６】画像ファイリング装置及びデジタルカメラの電気構成を示すブロック図である。
【図７】無線インタフェースを使用した場合の画像ファイリングシステムの構成図である。
【図８】無線インタフェースを使用した場合のデータバス確立シーケンスを説明する説明図である。
【符号の説明】
１０  画像ファイリング装置
１７  メモリーカード
１９  ＣＤ−Ｒメディア
４２，６８  ＵＳＢコネクタ
４８  デジタルカメラ
４９  ＵＳＢケーブル
５７，６７  ＵＳＢインタフェース
５８  ＵＳＢホストコントローラ
６９  ＵＳＢターゲットコントローラ
【図１】
2004166057.tif 000003
【図２】
2004166057.tif 000004
【図３】
2004166057.tif 000005
【図４】
2004166057.tif 000006
【図５】
2004166057.tif 000007
【図６】
2004166057.tif 000008
【図７】
2004166057.tif 000009
【図８】
2004166057.tif 000010